【事件の表示】
　特許第２６５１２５８号「時計機能を備えたカメラ」の請求項１ないし５に係る特許に対する特許異議の申立てについて、次のとおり決定する。
【結論】
　訂正を認める。
　特許第２６５１２５８号の請求項１ないし３に係る特許を維持する。
【理由】
（Ｉ）手続の経緯
　特許第２６５１２５８号の請求項１〜３に係る発明は、平成２年２月９日に特許出願され、平成９年５月１６日にその特許の設定登録がされ、その後異議申立人旭光学工業株式会社、島田洋、および細野篤良により、それぞれ特許異議の申立がなされ、取消理由通知がなされ、その指定期間内である平成１０年９月１６日に訂正請求がされた後で、訂正拒絶理由が通知された後、再度の訂正拒絶理由が通知され、その再度の訂正拒絶理由に対して指定期間内である平成１１年４月２７日に手続補正書が提出されたものである。
（ＩＩ）訂正の適否についての判断
　ア．訂正明細書の請求項１〜３に係る発明
　訂正明細書の請求項１〜３に係る発明は、その特許請求の範囲の請求項１〜３に記載された次の事項により特定されるとおりのものである。
「（１）撮影時の日付・時間等を写し込む為の時計表示や、インターバル撮影の為の時間計測の刊能等の時計機能を備えたカメラにおいて、
前記時計機能の表示を読み出すと共に、修正可能な状態に切換える設定手段と、
常時はカメラ情報の修正もしくは設定の為の入力を果たし、前記設定手段によって切り換えられた際には、前記時計機能の修正を行える入力手段と操作により測光を開始させるレリーズ釦と、を設け、前記設定手段は前記レリーズ釦の操作が解除され、且つ所定時間測光を継続させる測光時間中であっても、強制的に前記時計機能の表示を読み出すと共に、修正可能な状態に切り換えることを特徴とする時計機能を備えたカメラ。
（２）撮影時の日付・時間等を写し込む為の時計表示や、インターバル撮影の為の時間計測の機能等の時計機能を備えたカメラにおいて、
前記時計機能の表示を読み出すと共に、修正可能な状態に切換える設定手段と、
常時はカメラ情報の修正もしくは設定の為の入力を果たし、前記設定手段によって切り換えられた際には、前記時計機能の修正を行える入力手段と、前記入力手段によって前記時計機能の修正を行った際には、インターバル撮影の設定を強制的に無効にするインターバル撮影回路を設けたことを特徴とする時計機能を備えたカメラ。
（３）上記カメラ情報の表示及び上記時計機能の表示を共通の表示器によって行わせると共に、該表示器をカメラ本体の上面に配設したことを特徴とする請求項（１）又は（２）に記載の時計機能を備えたカメラ。」
　イ．訂正の要旨
　訂正事項ａ
　明細書の特許請求の範囲の請求項１に係る記載
「【請求項１】撮影時の日付・時間等の写し込む為の時計表示や、インターバル撮影の為の時間計測の機能等の時計機能を備えたカメラにおいて、前記、時計機能の表示を読み出すと共に、修正可能な状態に切換える設定手段と、
常時はカメラ情報の修正もしくは設定の為の入力を果たし、前記設定手段によって切り換えられた際には、
前記時計機能の修正を行える入力手段と、を設けたことを特徴とする時計機能を備えたカメラ。」
を、
「（１）撮影時の日付・時間等を写し込む為の時計表示や、インターバル撮影の為の時間計測の機能等の時計機能を備えたカメラにおいて、
前記時計機能の表示を読み出すと共に、修正可能な状態に切換える設定手段と、
常時はカメラ情報の修正もしくは設定の為の入力を果たし、前記設定手段によって切り換えられた際には、前記時計機能の修正を行える入力手段と、操作により測光を開始させるレリーズ釦と、を設け、前記設定手段は前記レリーズ釦の操作が解除され、且つ所定時間測光を継続させる測光時間中であっても、強制的に前記時計機能の表示を読み出すと共に、修正可能な状態に切り換えることを特徴とする時計機能を備えたカメラ。」に訂正する。
　訂正事項ｂ
　明細書の特許請求の範囲の請求項２に係る記載
「【請求項２】上記設定手段によって上記時計機能の状態に切換えられている時にレリーズ操作をした際には、強制的に通常時のカメラ情報の表示に復帰させる復帰手段を付設したことを特徴とする請求項（１）記載の時計機能を備えたカメラ。」を削除する。
　訂正事項ｃ
　明細書の特許請求の範囲の請求項３に係る記載
「【請求項３】上記設定手段は、撮影後に所定時間測光を継続させる測光時間中であっても、強制的に上記時計機能の表示を読み出すと共に、修正可能な状態に切換えたことを特徴とする請求項（１）又は（２）記載の時計機能を備えたカメラ。」を削除する。
　訂正事項ｄ
　明細書の特許請求の範囲の請求項４に係る記載
「【請求項４】上記入力手段によって上記時計機能の修正を行った際には、インターバル撮影の設定を強制的に無効にするインターバル撮影回路を設けたことを特徴とする請求項（１），（２）又は（３）記載の時計機能を備えたカメラ。」を、
「（２）撮影時の日付・時間等を写し込む為の時計表示や、インターバル撮影の為の時間計測の機能等の時計機能を備えたカメラにおいて、
前記時計機能の表示を読み出すと共に、修正可能な状態に切換える設定手段と、
常時はカメラ情報の修正もしくは設定の為の入力を果たし、前記設定手段によって切り換えられた際には、前記時計機能の修正を行える入力手段と、前記入力手段によって前記時計機能の修正を行った際には、インターバル撮影の設定を強制的に無効にするインターバル撮影回路を設けたことを特徴とする時計機能を備えたカメラ。」に訂正する。
　訂正事項ｅ
　明細書の特許請求の範囲の請求項５に係る記載
「【請求項５】上記カメラ情報の表示及び上記時計機能の表示を共通の表示器によって行わせると共に、該表示器をカメラ本体の上面に配設したことを特徴とする請求項（１），（２），（３）又は（４）に記載の時計機能を備えたカメラ。」を、
「（３）上記カメラ情報の表示及び上記時計機能の表示を共通の表示器によって行わせると共に、該表示器をカメラ本体の上面に配設したことを特徴とする請求項（１）又は（２）に記載の時計機能を備えたカメラ。」に訂正する。
　訂正事項ｆ
　明細書第３頁第２〜１６行（特許公報第２頁第３欄第４６行〜第４欄第１行）を「時計機能を備えたカメラにおいて、カメラ情報の修正もしくは設定の為の入力を果たす手段を、時計機能への切換えに応じて時計機能の修正が行えるようにしたので、操作釦等の部品点数及び配置領域を増やす必要がなく、低コスト、カメラの小型化及び操作性を向上させた時計機能を備えたカメラを提供する。」から、
「撮影時の日付・時間等を写し込む為の時計表示や、インターバル撮影の為の時間計測の機能等の時計機能を備えたカメラにおいて、前記時計機能の表示を読み出すと共に、修正可能な状態に切換える設定手段と、常時はカメラ情報の修正もしくは設定の為の入力を果たし、前記設定手段によって切り換えられた際には、前記時計機能の修正を行える入力手段と、操作により測光を開始させるレリーズ釦と、を設け、前記設定手段は前記レリーズ釦の操作が解除され、且つ所定時間測光を継続させる測光時間中であっても、強制的に前記時計機能の表示を読み出すと共に、修正可能な状態に切り換えることを特徴としている。
　撮影時の日付・時間等を写し込む為の時計表示や、インターバル撮影の為の時間計測の機能等の時計機能を備えたカメラにおいて、前記時計機能の表示を読み出すと共に、修正可能な状態に切換える設定手段と、常時はカメラ情報の修正もしくは設定の為の入力を果たし、前記設定手段によって切り換えられた際には、前記時計機能の修正を行える入力手段と、前記入力手段によって前記時計機能の修正を行った際には、インターバル撮影の設定を強制的に無効にするインターバル撮影回路を設けたことを特徴としている。」に訂正する。
　訂正事項ｇ
　明細書第５頁第５行（特許公報第３頁第５欄第１７行）の「・・・固定さしこれに基づいて・・・」を、「・・・固定し、これに基づいて・・・」に訂正する。
　訂正事項ｈ
　明細書第１１頁第１４行（特許公報第５頁第１０欄第２５行）の「・・・には６秒に発生する割り込み処理・・・」を、「・・・には６秒後に発生する割り込み処理・・・」に訂正する。
　訂正事項ｉ
　明細書第１１頁第２０行（特許公報第５頁第１０欄第３３行）の「・・・も６秒に発生する割り込み処理・・・」を、「・・・も６秒後に発生する割り込み処理・・・」に訂正する。
　ウ．訂正の目的の適否、新規事項の有無及び拡張・変更の存否
　訂正事項ａに係る訂正は、特許請求の範囲の減縮、および、誤記の訂正に該当し、実質的に特許請求の範囲を拡張又は変更するものではないし、新規事項の追加にも該当しない。（なお、「日付・時間等の」を「日付・時間等を」に訂正したことは、誤記の訂正と認める。）
訂正事項ｂおよびｃに係る訂正は、特許請求の範囲の減縮に該当し、実質的に特許請求の範囲を拡張又は変更するものではないし、新規事項の追加にも該当しない。
　訂正事項ｄに係る訂正は、特許請求の範囲の減縮、および、明瞭でない記載の釈明に該当し、実質的に特許請求の範囲を拡張又は変更するものではないし、新規事項の追加にも該当しない。（なお、引用形式の記載を独立形式の記載に書き換えたことは、明瞭でない記載の釈明と認める。）
　訂正事項ｅに係る訂正は、特許請求の範囲の減縮、および、明瞭でない記載の釈明に該当し、実質的に特許請求の範囲を拡張又は変更するものではないし、新規事項の追加にも該当しない。
　訂正事項ｆ，ｈおよびｉに係る訂正は、明瞭でない記載の釈明に該当し、実質的に特許請求の範囲を拡張又は変更するものではないし、新規事項の追加にも該当しない。
　訂正事項ｇに係る訂正は、誤記の訂正に該当し、実質的に特許請求の範囲を拡張又は変更するものではないし、新規事項の追加にも該当しない。
　エ．独立特許要件
（Ａ）特許法第２９条第２項違反についての判断（引用刊行物）
　当審が平成１０年６月２６日付で通知した取消理由で引用した刊行物１（特開昭６２−２７０９３２号公報）には、撮影時の日付・時間等の時計表示や、時間計測の機能等の時計機能を備えたカメラにおいて、前記時計機能の表示を読み出すと共に、修正可能な状態に切換える設定手段と、常時はカメラ情報の修正もしくは設定の為の入力を果たし、前記設定手段によって切り換えられた際には、前記時計機能の修正を行える入力手段とを設け、上記カメラ情報の表示及び上記時計機能の表示を共通の表示器によって行わせる、時計機能を備えたカメラ。及び、時計表示（時，分）中に、レリーズ釦（２１）が押された時は、カメラ情報を表示することが記載されている。
　同じく、刊行物２（特開昭６２−１９５６３４号公報）には、撮影時の日付・時間等の写し込む為の時計表示等の時計機能を備えたカメラが記載されている。
（対比・判断）
　訂正明細書の請求項１に係る発明（以下、「本件請求項１に係る発明」という。）と刊行物１及び２に記載された発明とを対比すると、刊行物１及び２のいずれにも、本件請求項１に係る発明を特定するための事項である、設定手段はレリーズ釦の操作が解除され、且つ所定時間測光を継続させる測光時間中であっても、強制的に時計機能の表示を読み出すと共に、修正可能な状態に切り換える事項が記載されていない。そして、当該事項により、本件請求項１に係る発明の特許は、平成１０年９月１６日付異議意見書第３頁第１６〜１８行に記載されているように、撮影の解除に相当するレリーズ釦の操作解除の際には、測光に係る表示よりも撮影者の意思を尊重し、強制的に時計機能の表示を読み出すとともに、修正可能な状態に切り換えることにより、カメラの操作性を向上させることができる、という効果を奏するものであり、本件請求項１に係る発明は、上記刊行物１及び２記載のものから当業者が容易に発明をすることができたものではない。
　訂正明細書の請求項２に係る発明（以下、「本件請求項２に係る発明」という。）と刊行物１及び２に記載された発明とを対比すると、刊行物１及び２のいずれにも、本件請求項２に係る発明を特定するための事項である、入力手段によって時計機能の修正を行った際には、インターバル撮影の設定を強制的に無効にするインターバル撮影回路を設けた事項が記載されていない。そして、当該事項により、本件請求項２に係る発明の特許は、インターバル撮影の設定の後に、時刻修正が行われていた際には、撮影者が意図したインターバル時間での撮影が実行されないことが考えられるので、以後のインターバル撮影を禁止する、という効果を奏するものであり、本件請求項２に係る発明は、上記刊行物１及び２記載のものから当業者が容易に発明をすることができたものではない。
　訂正明細書の請求項３に係る発明（以下、「本件請求項３に係る発明」という。）と刊行物１及び２に記載された発明とを対比すると、刊行物１及び２のいずれにも、本件請求項３に係る発明を特定するための事項である、設定手段はレリーズ釦の操作が解除され、且つ所定時間測光を継続させる測光時間中であっても、強制的に時計機能の表示を読み出すと共に、修正可能な状態に切り換える事項、あるいは、入力手段によって時計機能の修正を行った際には、インターバル撮影の設定を強制的に無効にするインターバル撮影回路を設けた事項が記載されていない。そして、当該事項により、本件請求項３に係る発明の特許は、平成１０年９月１６日付異議意見書第３頁第１６〜１８行に記載されているように、撮影の解除に相当するレリーズ釦の操作解除の際には、測光に係る表示よりも撮影者の意思を尊重し、強制的に時計機能の表示を読み出すとともに、修正可能な状態に切り換えることにより、カメラの操作性を向上させることができる、あるいは、明細書に記載されているように、インターバル撮影の設定の後に、時刻修正が行われていた際には、撮影者が意図したインターバル時間での撮影が実行されないことが考えられるので、以後のインターバル撮影を禁止する、という効果を奏するものであり、本件請求項３に係る発明は、上記刊行物１及び２記載のものから当業者が容易に発明をすることができたものではない。
（Ｂ）特許法第３６条第３項及び第４項違反についての判断
　当審が平成１０年６月２６日付で通知した取消理由は、訂正前の本件請求項２及び３の記載と、発明の詳細な説明の項の記載との、対応が不明瞭であり、特許法第３６条第３項及び第４項に規定する要件を満たしていないというものであるが、平成１０年９月１６日付の訂正請求で、前記明細書の記載不備については、解消した。
　当審が平成１１年４月２７日付で再度通知した訂正拒絶理由は、訂正後の請求項１及び３の記載では、本件発明の構成が不明瞭であり、特許法第３６条第４項の規定を満たしていないというものであるが、平成１１年４月２７日付手続補正で、前記明細書の記載不備については、解消した。
　オ．むすび
　以上のとおりであるから、上記訂正請求は、特許法第１２０条の４第２項及び第３項でさらに準用する特許法第１２６条第２〜４項の規定に適合するので、当該訂正を認める。
（ＩＩＩ）特許異議の申立について
　ア．申立の理由の概要
　申立人旭光学工業株式会社は、証拠として甲第１号証（特開昭６２−２７０９３２号公報）、甲第２号証（特開昭６２−１９５６３４号公報）を提出し、請求項１に係る発明の特許は特許法第２９条第２項の規定に違反してなされたものであるから、請求項１に係る発明の特許を取り消すべき旨、
　申立人島田洋は、証拠として甲第１号証（特開昭６２−２７０９３２号公報）を提出し、請求項１及び５に係る発明の特許は特許法第２９条第１項第３号あるいは、第２９条第２項の規定に違反し、請求項４に係る発明の特許は特許法第２９条第２項の規定に違反し、請求項２及び３に係る発明の特許は特許法第３６条第４項及び第５項の規定に違反してなされたものであるから請求項１ないし５に係る発明の特許を取り消すべき旨、
　申立人細野篤良は、証拠として甲第１号証（特開昭６１−２４０２３１号公報）、甲第２号証（特開昭６１−１３４７４７号公報）、甲第３号証（特開平１−１２８０５６号公報）、甲第４号証（実開昭６１−１７１０３９号公報）を提出し、請求項１，２及び５に係る発明の特許は特許法第２９条第２項の規定に違反してなされたものであるから、請求項１，２及び５に係る発明の特許を取り消すべき旨、主張している。
　イ．特許法第２９条第１項第３号及び第２項違反について
　（Ａ）申立人が提出した甲各号証記載の発明
　▲１▼申立人旭光学工業株式会社が提出した甲第１号証（特開昭６２−２７０９３２号公報）は、当審が平成１０年６月２６日付で通知した取消理由で引用した刊行物１と同じものであり、上記「エ．（Ａ）（引用刊行物）」において示されたとおりの発明が記載されており、甲第２号証（特開昭６２−１９５６３４号公報）は、同取消理由で引用した刊行物２と同じものであり、上記「エ（Ａ）（引用刊行物）」において示されたとおりの発明が記載されている。
　▲２▼申立人島田洋が提出した甲第１号証（特開昭６２−２７０９３２号公報）は、上記取消理由で引用した刊行物１と同じものであり、上記「エ．（Ａ）（引用刊行物）」において示されたとおりの発明が記載されている。
　▲３▼申立人細野篤良が提出した甲第１号証（特開昭６１−２４０２３１号公報）には、（ｉ）ＳＭＯＤＥスイッチはデータ表示の変更用のスイッチで、押すことで「年月日」，「日時分」，「ＯＦＦ（表示なし）」のサイクル変更がなされること、（ｉｉ）ＳＹ，ＳＭ，ＳＤ釦は、釦を押すことで該当表示部が１宛加算する補正ボタンで、「年月日」，「日時分」の表示状態のときに補正機能が有効になること、（ｉｉｉ）非ＤＸフィルム装填時には自動的にＩＳＯモードになり、デート変更用のＳＤ釦がＩＳＯ感度の設定ボタンになることが記載されており、
甲第２号証（特開昭６１−１３４７４７号公報）には、非ＤＸモードでは、シャッタレリーズ操作に連動してカメラ側ＳＩがオンすると、ＬＣＤ表示が「デート表示」から「ＩＳＯ点滅表示」に切り換わることが記載されており、
甲第３号証（特開平１−１２８０５６号公報）には、（ｉ）インターバルモードでは、フィルムコマ位置情報の表示をインターバル撮影の枚数表示に切り換え、デート写し込み用の年月日表示をインターバル時間の表示に切り換えること、（ｉｉ）レリ−ズ釦のオン操作によって、上記表示を継続させるとともにタイマによるカウントダウンの表示を行い、残り一秒になった時点ではインターバル撮影そのものとは関係のない写し込み年月日の表示に自動的に切り換えることが記載されており、
甲第４号証（実開昭６１−１７１０３９号公報）には、第１図あるいは第２図に、各種の入力操作部が設けられたカメラ本体の上面に表示装置を配設することが記載されている。
　（Ｂ）対比・判断
　（請求項１に係る発明について）
　請求項１に係る発明と申立人が提出した甲号各証記載の発明とを対比すると、当該刊行物のいずれにも、設定手段はレリーズ釦の操作が解除され、且つ所定時間測光を継続させる測光時間中であっても、強制的に時計機能の表示を読み出すと共に、修正可能な状態に切り換える事項が記載されていない。そして、当該事項により、本件請求項１に係る発明の特許は、平成１０年９月１６日付異議意見書第３頁第１６〜１８行に記載されているように、撮影の解除に相当するレリーズ釦の操作解除の際には、測光に係る表示よりも撮影者の意思を尊重し、強制的に時計機能の表示を読み出すとともに、修正可能な状態に切り換えることにより、カメラの操作性を向上させることができる、という効果を奏するものであり、本件請求項１に係る発明は、上記甲号各証に記載されたものとも、上記甲号各証に記載の発明から当業者が容易に推考することができたものともいえない。
　（請求項２に係る発明について）
　請求項２に係る発明と申立人が提出した甲号各証記載の発明とを対比すると、当該刊行物のいずれにも、入力手段によって時計機能の修正を行った際には、インターバル撮影の設定を強制的に無効にするインターバル撮影回路を設けた事項が記載されていない。そして、当該事項により、本件請求項２に係る発明の特許は、インターバル撮影の設定の後に、時刻修正が行われていた際には、撮影者が意図したインターバル時間での撮影が実行されないことが考えられるので、以後のインターバル撮影を禁止する、という効果を奏するものであり、本件請求項２に係る発明は、上記甲号各証に記載されたものとも、上記甲号各証に記載の発明から当業者が容易に推考することができたものともいえない。
　（請求項３に係る発明について）
　請求項３に係る発明と申立人が提出した甲号各証記載の発明とを対比すると、当該刊行物のいずれにも、設定手段はレリーズ釦の操作が解除され、且つ所定時間測光を継続させる測光時間中であっても、強制的に時計機能の表示を読み出すと共に、修正可能な状態に切り換える事項、あるいは、入力手段によって時計機能の修正を行った際には、インターバル撮影の設定を強制的に無効にするインタ−バル撮影回路を設けた事項が記載されていない。そして、当該事項により、本件請求項３に係る発明の特許は、平成１０年９月１６日付異議意見書第３頁第１６〜１８行に記載されているように、撮影の解除に相当するレリーズ釦の操作解除の際には、測光に係る表示よりも撮影者の意思を尊重し、強制的に時計機能の表示を読み出すとともに、修正可能な状態に切り換えることにより、カメラの操作性を向上させることができる、あるいは、明細書に記載されているように、インターバル撮影の設定の後に、時刻修正が行われていた際には、撮影者が意図したインターバル時間での撮影が実行されないことが考えられるので、以後のインターバル撮影を禁止する、という効果を奏するものであり、本件請求項３に係る発明は、上記甲号各証に記載されたものとも、上記甲号各証に記載の発明から当業者が容易に推考することができたものともいえない。
　以上のとおり、請求項１〜３に係る発明は、申立人が提出した、甲号各証に記載されたものとも、甲号各証に記載された発明から当業者が容易に発明をすることができたものともいえない。
　ウ，特許法第３６条第４項及び第５項違反について
　訂正前の請求項２及び３は削除されたので、特許法第３６条第４項及び第５項違反については、解消された。
　エ．むすび
　したがって、特許異議申立の理由及び証拠によっては、本件請求項１〜３に係る発明の特許を取り消すことはできない。
　また、他に本件請求項１〜３に係る発明の特許を取り消すべき理由を発見しない。
　よって、結論のとおり決定する。
【異議決定日】
平成１１年５月２７日（１９９９．５．２７）
【訂正の要旨】
（訂正の要旨）
　訂正事項ａ
　明細書の特許請求の範囲の請求項１に係る記載
「【請求項１】撮影時の日付・時間等の写し込む為の時計表示や、インターバル撮影の為の時間計測の機能等の時計機能を備えたカメラにおいて、前記、時計機能の表示を読み出すと共に、修正可能な状態に切換える設定手段と、
常時はカメラ情報の修正もしくは設定の為の入力を果たし、前記設定手段によって切り換えられた際には、
前記時計機能の修正を行える入力手段と、を設けたことを特徴とする時計機能を備えたカメラ。」を、
「（１）撮影時の日付・時間等を写し込む為の時計表示や、インターバル撮影の為の時間計測の機能等の時計機能を備えたカメラにおいて、前記時計機能の表示を読み出すと共に、修正可能な状態に切換える設定手段と、
常時はカメラ情報の修正もしくは設定の為の入力を果たし、前記設定手段によって切り換えられた際には、前記時計機能の修正を行える入力手段と、操作により測光を開始させるレリーズ釦と、を設け、前記設定手段は前記レリーズ釦の操作が解除され、且つ所定時間測光を継続させる測光時間中であっても、強制的に前記時計機能の表示を読み出すと共に、修正可能な状態に切り換えることを特徴とする時計機能を備えたカメラ。」に訂正する。
　訂正事項ｂ
　明細書の特許請求の範囲の請求項２に係る記載
「【請求項２】上記設定手段によって上記時計機能の状態に切換えられている時にレリーズ操作をした際には、強制的に通常時のカメラ情報の表示に復帰させる復帰手段を付設したことを特徴とする請求項（１）記載の時計機能を備えたカメラ。」を削除する。
　訂正事項ｃ
　明細書の特許請求の範囲の請求項３に係る記載
「【請求項３】上記設定手段は、撮影後に所定時間測光を継続させる測光時間中であっても、強制的に上記時計機能の表示を読み出すと共に、修正可能な状態に切換えたことを特徴とする請求項（１）又は（２）記載の時計機能を備えたカメラ。」を削除する。
　訂正事項ｄ
　明細書の特許請求の範囲の請求項４に係る記載
「【請求項４】上記入力手段によって上記時計機能の修正を行った際には、インターバル撮影の設定を強制的に無効にするインターバル撮影回路を設けたことを特徴とする請求項（１），（２）又は（３）記載の時計機能を備えたカメラ。」を、
「（２）撮影時の日付・時間等を写し込む為の時計表示や、インターバル撮影の為の時間計測の機能等の時計機能を備えたカメラにおいて、
前記時計機能の表示を読み出すと共に、修正可能な状態に切換える設定手段と、
常時はカメラ情報の修正もしくは設定の為の入力を果たし、前記設定手段によって切り換えられた際には、前記時計機能の修正を行える入力手段と、前記入力手段によって前記時計機能の修正を行った際には、インターバル撮影の設定を強制的に無効にするインターバル撮影回路を設けたことを特徴とする時計機能を備えたカメラ。」に訂正する。
　訂正事項ｅ
　明細書の特許請求の範囲の請求項５に係る記載
「【請求項５】上記カメラ情報の表示及び上記時計機能の表示を共通の表示器によって行わせると共に、該表示器をカメラ本体の上面に配設したことを特徴とする請求項（１），（２），（３）又は（４）に記載の時計機能を備えたカメラ。」を、
「（３）上記カメラ情報の表示及び上記時計機能の表示を共通の表示器によって行わせると共に、該表示器をカメラ本体の上面に配設したことを特徴とする請求項（１）又は（２）に記載の時計機能を備えたカメラ。」に訂正する。
　訂正事項ｆ
　明細書第３頁第２〜１６行（特許公報第２頁第３欄第４６行〜第４欄第１行）を［時計機能を備えたカメラにおいて、カメラ情報の修正もしくは設定の為の入力を果たす手段を、時計機能への切換えに応じて時計機能の修正が行えるようにしたので、操作釦等の部品点数及び配置領域を増やす必要がなく、低コスト、カメラの小型化及び操作性を向上させた時計機能を備えたカメラを提供する。」から、
「撮影時の日付・時間等を写し込む為の時計表示や、インターバル撮影の為の時間計測の機能等の時計機能を備えたカメラにおいて、前記時計機能の表示を読み出すと共に、修正可能な状態に切換える設定手段と、常時はカメラ情報の修正もしくは設定の為の入力を果たし、前記設定手段によって切り換えられた際には、前記時計機能の修正を行える入力手段と、操作により測光を開始させるレリーズ釦と、を設け、前記設定手段は前記レリーズ釦の操作が解除され、且つ所定時間測光を継続させる測光時間中であっても、強制的に前記時計機能の表示を読み出すと共に、修正可能な状態に切り換えることを特徴としている。
　撮影時の日付・時間等を写し込む為の時計表示や、インターバル撮影の為の時間計測の機能等の時計機能を備えたカメラにおいて、前記時計機能の表示を読み出すと共に、修正可能な状態に切換える設定手段と、常時はカメラ情報の修正もしくは設定の為の入力を果たし、前記設定手段によって切り換えられた際には、前記時計機能の修正を行える入力手段と、前記入力手段によって前記時計機能の修正を行った際には、インターバル撮影の設定を強制的に無効にするインターバル撮影回路を設けたことを特徴としている。」に訂正する。
　訂正事項ｇ
　明細書第５頁第５行（特許公報第３頁第５欄第１７行）の「・・・固定さしこれに基づいて・・・」を、「・・・固定し、これに基づいて・・・」に訂正する。
　訂正事項ｈ
　明細書第１１頁第１４行（特許公報第５頁第１０欄第２５行）の「・・・には６秒に発生する割り込み処理・・・」を、「・・・には６秒後に発生する割り込み処理・・・」に訂正する。
　訂正事項ｉ
　明細書第１１頁第２０行（特許公報第５頁第１０欄第３３行）の「・・・も６秒に発生する割り込み処理・・・」を、［・・・も６秒後に発生する割り込み処理・・・」に訂正する。
（５４）【発明の名称】
時計機能を備えたカメラ
（５７）【特許請求の範囲】
（１）撮影時の日付・時間等を写し込む為の時計表示や、インターバル撮影の為の時間計測の機能等の時計機能を備えたカメラにおいて、
前記時計機能の表示を読み出すと共に、修正可能な状態に切換える設定手段と、
常時はカメラ情報の修正もしくは設定の為の入力を果たし、前記設定手段によって切り換えられた際には、前記時計機能の修正を行える入力手段と、
操作により測光を開始させるレリーズ釦と、
前記
が
され、且つ
示を読み出すと共に、修正可能な状態に切り換え企ことを特徴とする時計機能を備えたカメラ。
（２）撮影時の日付・時間等を写し込む為の時計表示や、インターバル撮影の為の時間計測の機能等の時計機能を備えたカメラにおいて、
前記時計機能の表示を読み出すと共に、修正可能な状態に切換える設定手段と、
常時はカメラ情報の修正もしくは設定の為の入力を果たし、前記設定手段によって切り換えられた際には、前記時計機能の修正を行える入力手段と、
前記入力手段によって前記時計機能の修正を行った際には、インターバル撮影の設定を強制的に無効にするインターバル撮影回路を設けたことを特徴とする時計機能を備えたカメラ。
（３）上記カメラ情報の表示及び上記時計機能の表示を共通の表示器によって行わせると共に、該表示器をカメラ本体の上面に配設したことを特徴とする請求項（１）又は（２）に記載の時計機能を備えたカメラ。
【発明の詳細な説明】
〔産業上の利用分野〕
本発明は、撮影時の日付、時間等を写し込むデート機能をやインターバル撮影の為の時間計測機能等の時計機能を備えたカメラに関するものである。
〔従来の技術〕
　第１７図に従来のデータ機能やインターバル撮影機能等の時計機能を備えたカメラを示した。従来、この種のカメラは背蓋１０１にデート機能等の時計機能用表示手段１０２、及び時計機能を設定する設定手段１０３を設け、カメラ本体１０４側の背面及び上面に撮影機能を設定する設定手段１０５、ダイヤルを回転させてクリツクパルスを発生させることによって、撮影機能を選択する選択手段１０６を設けているのが一般である。
　時計機能設定手段１０３は、左側より「年、月、日」「日、時、分」「ＯＦＦ」等のデートモードを設定する。デートモード釦１０３（ａ）時計機能を修正する際に時計機能の修正桁を選択する（セレクト動作という）セレクタ釦１０３（ｂ）、前記セレクト釦によって選択された修正桁の数値を修正設定する（セツト動作という）セツト釦１０３（ｃ）、及びインターバル撮影を設定するインターバル釦１０３（ｄ）からなっている。
　撮影機能設定手段１０５は、ＡＥ撮影モードを設定する撮影モード釦１０５（ａ）、露出補正量を設定する露出補正釦１０５（ｂ）、ＡＦモードを設定するＡＦモード釦１０５（ｃ）、給送モードを設定する給送モード釦１０５（ｄ）等からなっている。
　１０７はＡＥロツク釦で、被写体を測光中にこの釦を押すと測光値が固定され、これに基づいた露出によってカメラの露出制御を行わせることができるものである。１０８は電源をＯＮ／ＯＦＦするメインスイツチ、１０９は撮影モード、シヤツター秒時、絞り値等の撮影情報を表示する撮影情報用表示手段である。
〔発明が解決しようとしている課題〕
　しかしながら、上記従来例から判るように、撮影機能と時計機能の両方の設定手段がある為、いろいろな名称がついた釦が多くなり操作が判りづらく繁雑になっていた。特に、時計機能の設定部材は他の撮影機能の設定部材に操作しやすいポジシヨンをとられてしまう為、操作しづらいポジシヨンにレイアウトせねばならなかった。又、操作釦毎に当然スイツチ機構が必要であり、操作釦の数が増える程、これに関係した部品も増える為、コストＵＰとなり、かつ、又、形状も大きくせざるを得ないといった問題点があった。
〔課題を解決するための手段〕
　撮影時の日付・時間等を写し込む為の時計表示や、インターバル撮影の為の時間計測の機能等の時計機能を備えたカメラにおいて、前記時計機能の表示を読み出すと共に、修正可能な状態に切換える設定手段と、常時はカメラ情報の修正もしくは設定の為の入力を果たし、前記設定手段によって切り換えられた際には、前記時計機能の修正を行える入力手段と、
操作により測光を開始させるレリーズ釦と、
前記
が
され、且つ
る
　撮影時の日付・時間等を写し込む為の時計表示や、インターバル撮影の為の時間計測の機能等の時計機能を備えたカメラにおいて、前記時計機能の表示を読み出すと共に、修正可能な状態に切換える設定手段と、常時はカメラ情報の修正もしくは設定の為の入力を果たし、前記設定手段によって切り換えられた際には、前記時計機能の修正を行える入力手段と、前記入力手段によって前記時計機能の修正を行った際には、インターバル撮影の設定を強制的に無効にするインターバル撮影回路を設けたことを特徴としている。
〔実施例〕
　以下実施例をもとに本発明を説明する。第１図は本発明の表示装置を備えたカメラの上面図、背面図を示したものである。１はカメラ本体、２は撮影情報表示素子としての外部モニターＬＣＤ（ＤＩＳＰ１）であらかじめ決められたパターンを表示する固定セグメント、と可変数値表示用の７はセグメントからなっている。３は回転させてクリツクパルスを発生させる事によって、シヤツター秒時や絞り値、日付等の設定値の変更や給送モードやデートモードといった撮影モードの内容を選択する選択手段としてのダイヤル（ＤＬ）、４はレリーズ釦である。５は電源スイツチと撮影モードの選択手段を兼ねたメインダイヤル、６は自動露出撮影時の露出補正値を設定可能状態にする露出補正を設定する為の露出補正釦、７は６と同様にしてＡＦモードを設定する為のＡＦモード釦、８は給送モードや、多重撮影、インターバル撮影等を複数の撮影モードを選択する為のフアンクシヨン釦で釦を順次押す事によって、各撮影モードが設定可能状態となるものである。９は日付をフイルムに写し込むデータ機能のモードを６と同様にして設定する為のデートモード釦、１０は１０７と同じく測光中に押す事によって測光値を固定するＡＥロツク釦で、カメラ背面の指掛り部１２近傍に設けている。１１はレリーズ釦と同時に押す事によってセルフタイマ撮影するセルフタイマ釦でカメラ上面のダイヤル３の近傍に設けている。
　第２図は第１図のカメラに内蔵されている電気回路を示している。第２図においてＣＯＭはカメラの制御を司るマイクロコンピューター、ＰＳ１，ＰＳ２，ＰＣＰ，ＰＹＲ，ＰＭＮ，ＰＤＹ，ＰＨＲ，ＰＭＴ，ＰＡＥは入カポート、ＰＤＬは８ビツト入力ポート、ＰＡＬ，ＰＬＤは出力ポート、ＰＤＰは８ビツト出力ポート、ＰＴＭは８ビツト入出力ポート、ＰＡＦは入出力ポートである。ＡＤ−ＡＦは被写体の像情報を取り込むＣＣＤから得た電圧をＡ／Ｄ変換する自動焦点装置、ＡＤ−ＡＥは被写体の輝度を測光するフオトダイオードＳＰＣより得た電圧を対数圧縮・Ａ／Ｄ変換する測光装置、ＤＤ１はＬＣＤ表示をおこなう公知の表示回路で、前記出力ポートＰＤＰに現れた信号に従い、絞り値、シヤツタ秒時、日付等の表示を行うことができる。ＤＩＳＰ１は前記の外部モニターＬＣＤ、ＴＲ−Ｍ１，ＴＲ−Ｍ２，ＴＲ−ＭＧ１，ＴＲ−ＭＧ２はトランジスタ、Ｍ１はフイルムの巻き上げ、巻き戻しをおこなうモータ、Ｍ２は図示しないメインミラーのアツプダウン，シヤツターチヤージをおこなうモータ、ＭＧ１は通電でシヤツタ先幕を走行させるマグネツト、ＭＧ２は通電でシヤツタ後幕を走行させるマグネツトである。ＤＬＣはダイヤルカウンタでダイヤルＤＬの回転クリツク数をカウントして前記ボ一ドＰＤＬに出力する。ＤＴＭＲは時計回路で、時計を内蔵していて時間を読みだしたり書き込んだりすることができ、また２３：５９から０：００になったときに前記ポートＰＴＭの１ビツトにＨｉを出力する（オーバーフロービツト）。ＤＡＶは絞りのＣＡＶを制御する絞り駆動回路で前記ポートＰＡＶより入力した絞り段数に応じて絞りを制御する。
　ＤＤＡは特公昭５４−１２５４等で公知のデート写し込み回路でフイルムの給送方向と直交する方向に一列に並んだ７ケの点状ＬＥＤからなるデータＬＥＤを給送中に順次点滅させて、７ドツト×５ドツトの数字をフイルムに写し込むものである。
　ＳＷ１はレリーズ釦４の第１ストロークでオンになる測光スイツチ、ＳＷ２はレリーズ釦４の第２ストロークでオンになる露光開始スイツチ、ＳＷＣＰは露光補正値の設定をおこなうための露光補正設定スイツチ、ＳＷＡＦはＡＦモードの設定をおこなうためのＡＦモード設定スイツチ、ＳＷＦＣは前記複数の撮影モードを選択するファンクシヨンスイツチ、ＳＷＤＡはデート機能のモード設定を行う為のデートモード設定スイツチ、ＳＷＡＬは前記ＳＷ１がオンされた測光中又は後述する測光タイマ中にオンするとその時点での測光値を固定し、これに基づいて露出制御可能な入力手段としてのＡＥロツクスイツチ、ＳＷＳＴは前述したようにカメラにセルフタイマー撮影を行わせる為のセルフタイマスイツチ、これらＳＷＣＰ−ＳＷＳＴは第１図６〜１１の釦を押されると各々オンするものである。
　第３図は外部モニタＬＣＤ２（ＤＩＳＰ１）の全点灯状態を示した外観図、２１〜２８は７セグメント（ＳＥＧ１−８）表示で、撮影情報表示時はシヤツター秒時を７セグメント２１〜２４で、（但し、セグメント２２と２３との間隔を他の２１と２２，２３と２４の間隔より広げてある）絞り値を７セグメント２５，２６フイルム枚数表示を２７，２８を行えるようになっている。２９は小数点を示すコロン、３０はフイルムカウンター部を示すカウンター枠、３１，３２は露出補正時の＋（プラス）又は−（マイナス）表示を行う為の指標で、＋（プラス）時は３１，３２を−（マイナス）時は３２のみを表示させる。４１，４２はデータモード設定時に西暦“年”を示すカンマ、４３，４４は同じく“月”を示すバー表示である。４５は“時”“分”の間を示すコロンである。前記以外の図示されている表示５０はカメラに設定された撮影情報を表示する固定セグメントで詳細説明は省略する。
　５１，５２は外部モニタＬＣＤ２に印刷された印刷フレームを示し、各々色分けされており、これに囲まれたセグメントはＡＦモード、及びフアンクシヨンモードの内容であることを知らせている。
　第４図は前記レリーズ釦４を押してＳＷ１をＯＮした時の外部モニタＬＣＤ２（ＤＩＳＰ）の表示状態の１例を示したもので、ＳＷＧ１〜４（２１〜２４）にてシヤツター秒時１／１２５秒（ＳＥＧｌ（２１）は使用せず）を、ＳＥＧ５，６（２５〜２６）コロン（２９）にて絞り値Ｆ５．６を、ＳＥＧ７，８（２７，２８）にてフイルムの撮影枚数『２３』枚といった撮影情報を表示する。その他５０ａにて“ＡＦモードはワンシヨツトＡＦである”、５０ｂにて“日付が写し込まれる”、５０ｃにて“フイルムがカメラに入っている”５０ｄにて“露光補正がかかっている”、５０ｅにて“フイルム給送モードは連続送りである”、５０ｆにて“必要な時にカメラが発音体で警告音を出すように設定されている”事を示している。
　第５図は露光補正釦６を押し、ダイヤル３（ＤＬ）を回転させて−２段の露出補正を設定した際の表示状態を示したもので、７セグメント２５，２６、指標３２及び露出補正マーク５０ｄを表示させている。
　第６図はデートモード釦１０を押し、ダイヤル３（ＤＬ）を回転させてデータモードを設定する際の表示状態を示したものである。（デートモードに関係するセグメントのみ図示した）
第６図（ａ）は『年、月、日』表示を７セグメント２１〜２６セグメント、４１，４４にて
第６図（ｂ）は『日、月、年』表示を７セグメント２１〜２６、セグメント、４２，４４にて
第６図（ｃ）は『月、日、年』表示を７セグメント２１〜２６、セグメント４２，４３にて
第６図（ｄ）は『日、時、分』表示を７セグメント２１〜２６、セグメント３１にて
第６図（ｅ）は『時、分、秒』表示を７セグメント２１〜２６、セグメント３１，４５にて
第６図（ｆ）はデート機能をＯＦＦする『ＯＦＦ』表示を７セグメント２２〜２４にて表示させているものである。（ここで、日時は１９８９年１２月２４日１２時間３４分５６秒を示している）これらはダイヤル３（Ｄし）の右回転にて第６図（ａ）→（ｂ）→（ｃ）→（ｄ）→（ｅ）→（ｆ）→（ａ）の順に表示し、左回転にて第６図（ａ）→（ｆ）→（ｅ）→（ｄ）→（ｃ）→（ｂ）→（ａ）の順に表示され、デートモードが設定可能となる。
　次に、第７図から第１１図に示すフローチヤートに従って、カメラの動作について説明する。
　カメラに電源が投入されるとマイクロコンピユータＣＯＭ内のＲＡＭはすべてクリアされ、各入出力ポートは初期化されてプログラムはＲＥＳＥＴから制御を開始する。
（１）前記時計回路ＤＴＭＲがオーバーフローしたか否かを判断する。入カポートＰＴＭのオーバーフロービツトがセツトされているときはステツプ１４へ進み、クリアされているときはステツプ２へ進む。
（２）前記スイツチＳＷ１の状態を判別する。入カポートＰＳｌがＬｏｗであればステツプ１５へ、Ｈｉであればステツプ３へ進む。
（３）前記スイツチＳＷＣＰの状態を判別する。入カポートＰＣＰがＬｏｗであれば［ＣＯＭＰ］へ、Ｈｉであればステツプ４へ進む。
（４）前記スイツチＳＷＤＡの状態を判別する。入カポートＰＤＡがＬｏｗであれば［ＤＡＴＥ］へ、Ｈｉであればステツプ５へ進む。
（５）前記スイツチＳＷＡＦの状態を判別する。入カポートＰＡＦがＬｏｗであれば［ＡＦ］へ、Ｈｉであればステツプ６へ進む。
（６）前記スイツチＳＷＦＣの状態を判別する。入カポートＰＦＣがＬｏｗであれば［ＦＣ］へ、Ｈｉであればステツプ７へ進む。
（７）スイツチＳＷ１を押したときにスタートする測光タイマ中であるか否かを判断する。測光タイマ中であればステツプ２１へ、測光タイマ中でなければステツプ８へ進む。
（８）露出補正値設定スチツチ、デートモード設定スイツチ、ＡＦモ一ド設定スイツチ、フアンクシヨンスイツチを押したときにスタートするモードタイマ中であるか否かを判断する。モードタイマ中であればステツプ２９へ、モードタイマ中でなければステツプ９へ進む。
（９）設定中のモードを記憶しているＲＡＭのＳＴＡＴＲＡＭをＯにクリアする。このＳＴＡＴＲＡＭの内容の０，１，２，３，４がそれぞれ測光中，露出補正値設定中，デート機能設定中，ＡＦモ−ド設定中，フアンクシヨン設定中のスタータスを示している。
（１０）設定中のデータ内容を記憶しているＲＡＭのＤＡＴＥＳＴＡＴを０にクリアする。このＤＡＴＥＳＴＡＴの内容の０，１，２，３，４，５がそれぞれデータモード設定中，年設定中，月設定中，日設定中，時設定中，分設定中のスタータスを示している。
（１１）前記ダイヤルカウンタＤＬＣをＯにクリアしてステツプ１２に進む。
（１２）前記出力ポートＰＤＰからＬＣＤ表示回路ＤＤｌにＯＦＦ信号を出力し、ＬＣＤ表示をＯＦＦにしてステツプ１３に進む。
（１３）マイコンＣＯＭをソフトウエアスタンバイ状態にする。このソフトウエアスタンバイ状態においてはマイコン本体だけでなく、クロツクをはじめ内蔵周辺のモジユールの機能が停止するため、消費電流は著しく低減されるが、規定の電圧が与えられている限り、マイコンＣＯＭ内のレジスタの内容及び内蔵ＲＡＭのデータは保持される。また、ソフトウエアスタンバイ状態の解除は、電源電圧の低下、前記オーバーフロービツトのセツト、スイツチＳＷ１の変化、スイツチＳＷＣＰの変化、スイツチＳＷＤＡの変化、スイツチＳＷＡＦの変化、スイツチＳＷＦＣの変化によっておこなわれる。
　オーバーフロービツトがセツトされるとソフトウエアスタンバイ状態は解除され、ステツプ１からステツプ１４へ進む。
（１４）マイコンＣＯＭ内の日を記憶しているＲＡＭのＤＡＹＲを１カウントアツプする。このとき月の変わりめであれば月を記憶しているＲＡＭのＭＯＮＴＨＲを１カウントアツプし前記ＤＡＹＲに１をいれ、年の変わりめであれば年を記憶しているＲＡＭのＹＥＡＲＲを１カウントアツプし前記ＭＯＮＴＨＲとＤＡＹＲにそれぞれ１をいれる。また、うるう年の判断もここでおこなう。この後ステツプ２からステツプ１３へと進み、再びソフトウエアスタンバイ状態になる。
　次にスイツチＳＷ１が押されるとソフトウエアスタンバイ状態は解除され、ステツプ２からステツプ１５へ進む。
（１５）前記ＳＴＡＴＲＡＭを０にクリアし、ステツプ１６へ進む。
（１６）前記ＤＡＴＥＳＴＡＴ２０にクリアしステツプ１７へ進む。
（１７）前記ダイヤルカウンタＤＬＣを０にクリアしてステツプ１８へ進む。
（１８）前記モードタイマをストツプさせてステツプ１９へ進む。
（１９）公知の焦点検出動作をして、不図示のレンズ駆動モータによるレンズ駆動をおこないステツプ２０へ進む。
（２０）前記測光タイマー中であるか否かを判断する。測光タイマー中であればステツプ２１へ、測光タイマー中でなければ２２へ進む。
（２１）前記ＡＥロツクスイツチＳＷＡＬの状態を判別する。入カポートＰＡＬがＬｏｗであればステツプ２４、Ｈｉであればステツプ２２へ進む。
（２２）測光センサＳＰＣから測光装置ＡＤ−ＡＥに入力された情報を対数圧縮、Ａ／Ｄ変換して公知の測光動作後、ステツプ２３へ進む。
（２３）測光値に露出補正をおこない、プログラム線図に基づいたシヤツタ秒時、絞り値を求めてステツプ２４へ進む。
（２４）前記スイツチＳＷ２の状態を判別する。入力ポートＰＳ２がＬｏｗであれば［レリーズ］へ、Ｈｉであればステツプ２５へ進む。
（２５）ステツプ２３で求められたシャツタ秒時と絞り値をＬＣＤ表示回路ＤＤ１による公知の動作により、第４図に示すように外部モニタＬＣＤ〜（ＤＩＳＰｌ）上に例えば、１／１２５、Ｆ５．６と表示してステツプ２６へ進む。
（２６）前記スイツチＳＷ１の状態を判別する。入力ポートＰＳ１がＨｉであればステツプ２７へ、Ｌｏｗであればステツプ２８へ進む。
（２７）前記スイツチＳＷＡＬの状態を判別する。入力ポートＰＡＬがＬｏｗであればステツプ２８へ、ＨｉであればＳＴＡＲＴへ進む。
（２８）６秒の測光タイマをスタートさせる。このタイマは６秒後に発生する割り込み処理によってストツプする。
　このようにスイツチＳＷ１をオンしてスイツチＳＷＡがオンしていない間は、ステツプ１→２→１５→１６→１７→１８→１９→２０→２２→２３→２４→２５→２６→２８→１と進み、焦点検出動作と測光を繰り返して行う。またスイツチＳＷ１をオフしているときでも、測光タイマ中はステツプ１→２→３→４→５→６→７→２１→２２→２３→２４→２５→２６→２７→１と進み、測光を繰り返しておこなう。但し、ＡＥロツクスイツチＳＷＡＬがオンされると測光は行われない。
　次にスイツチＳＷ２がオンされたときの処理については第８図で説明する。スイツチＳＷ２がオンするとプログラムはステツプ２４からレリーズのステツプ３０へ進む。
（３０）前記ダイヤルカウンタＤＬＣを０にクリアしてステツプ３１に進む。
（３１）前記測光タイマをストツプさせてステツプ３２へ進む。
（３２）ステツプ２３と同様にして、シャツタ秒時と絞り値を表示してステツプ９０へ進む。
（９０）前記スイツチＳＷＳＴの状態を判別する。入力ポートＰＳ下がＬｏｗであればステツプ９１へＨｉであればステツプ３３へ進む。
（９１）セルフタイマが１０秒経過するまで待ち、経過後ステツプ３３へ進む。
（３３）出力ポートＰＭ２にＨｉを出力してモータＭ２を駆動してミラーアツプをおこないステツプ３４へ進む。
（３４）出力ポートＰＡＶより絞り駆動回路ＤＮへ絞り段数を出力し、絞りＣＡＶの絞り込み制御をおこないステツプ３５へ進む。
（３５）シヤツタ秒時のアペツクス値から実時間を演算してタイマにセツトしてステツプ３６へ進む。
（３６）出力ポートＰＧ１よりＨｉを出力してマグネツトＭＧ１に通電して先幕を走行させてステツプ３７へ進む。
（３７）タイマが実時間経過するまで待ちステツプ３８へ進む。
（３８）出力ポートＰＧ２よりＨｉを出力してマグネツトＭＧ２に通電して後幕を走行させてステツプ３９へ進む。
（３９）出力ポートＰＭ２にＨｉを出力してモータＭ２を駆動してミラーダウンをおこないステツプ４０へ進む。
（４０）出力ポートＰＡＶより絞り駆動回路ＤＡＶへ開放側への最大絞り段数を出力して絞りＣＡＶの開放動作をおこないステツプ４１へ進む。
（４１）出力ポートＰＭ１にＨｉを出力してモータＭ１を駆動して巻き上げ動作をおこなう。この途中出力ポートＰＬＤにＨｉを出力してＥＤを順次点滅させ、前述の７ドツト×５ドツトからなる数字でもって日付をフイルムに写し込んでいく。
　以上のステツプ３０からステツプ４１までの動作でステツプＳＷ２が押されたときの、レリーズ動作がおこなわれる。
　次に、動作補正釦６のスイツチＳＷＣＰが押されたときの露出補正値を設定するときの動作について第９図で説明する。スイツチＳＷ１が離されているときにスイツチＳＷＣＰが押されると、プログラムはステツプ３から［ＣＯＭＰ］に進む。
（４２）前記測光タイマをストツプさせてステツプ３８へ進む。
（４３）６秒のモードタイマをスタートさせる。このタイマは６秒後に発生する割り込み処理によってストツプする。
（４４）設定中のデート内容を記憶しているＲＡＭのＤＡＴＥＳＴＡＴを０にクリアする
（４５）前記ＳＴＡＴＲＡＭに露出補正値設定中であることを示す１をいれてステツプ４６へ進む。
（４６）ダイヤルカウンタＤＬＣからダイヤル３０カウント値を読み込みステツプ４７へ進む。
（４７）ダイヤル３から読み込んだ値を露出補正値を記憶しているＲＡＭのＣＯＭＰＲに加算する。但し、露出補正値は−５段から＋５段の値をとるものとし、その範囲を越えるときは最大値或いは最小値でリミツトがかかる。また、ダイヤルカウンタが１カウントアツプするたびに露出補正値は０．５段ずつ増加し、ダイヤルカウンタが１カウントダウンするたびに露出補正値は０．５段ずつ減少する。
（４８）露出補正値を外部モニターＬＣＤＤＩＳＰ１に表示する。例えば、露出補正値が−２段のときは７セグメント２５，２６（ＳＥＧ５，ＳＥＧ６）、指標３２、露出補正マーク５０ｄを用いて第５図に示すような表示をする。
　以上のステツプ４２からステツプ４８までの動作でスイツチＳＷＣＰが押されたときの、露出補正値の設定がおこなわれる。またスイツチＳＷＣＰをオフしているときでも、モードタイア中はステツプ１→２→３→４→５→６→７→８→２９→４６→４７→４８→１と進み、露出補正値の設定をおこなうことができる。
　次にデータモード釦９のスイツチＳＷＤＡが押された時の動作について第１０図で説明する。スイツチＳＷ１，ＳＷＣＰが離れている時にスイツチＳＷＤＡが押されていると、プログラムはステツプ４から［ＤＡＴＥ］に進む。
（４９）前記測光タイマをストツプさせてステツプ５０へ進む。
（５０）６秒のモードタイマをスタートさせる。このタイマには６秒後に発生する割り込み処理によってストツプする。
（５１）前記ＳＴＡＴＲＡＭにデート機能設定中である事を示す２を入れてステツプ（５２）へ進む。
（５２）前記ＡＥロツクスイツチＳＷＡＬの状態を判別する入力ポートＰＡＬがＬｏｗであればステツプ５３へ、Ｈｉであればステツプ５７へ進む。
（５３）６秒のモードタイマをスタートさせる。このタイマも６秒後に発生する割り込み処理によってストツプする。
（５４）前記ＡＥロツクスイツチＳＷＡＬが押されていることを示すＳＷＡＬＦＧフラグがセツトされているか否かを判断する。セツトされていればステツプ５５へ、クリアされていればステツプ５８へ進む。
（５５）前記ＳＷＡＬＦＧフラグをセツトしてステツプ５６へ進む。
（５６）前記ＤＡＴＥＳＴＡＴを１つカウントアツプしてステツプ５８へ進む。
（５７）前記ＳＷＡＬＦＧフラグをクリアしてステツプ５８へ進む。
（５８）前述したようにＤＡＴＥＳＴＡＴの内容の０，１，２，３，４，５がそれぞれデートモード設定中［ＤＦＭＯＤＥ］、年設定中［ＹＥＡＲ］、月設定中［ＭＯＮＴＨ］、日設定中［ＤＡＹ］、時設定中［ＨＯＵＲ］、分設定中［ＭＩＮＵＴＥ］に対応しているので、ＡＥロツク釦１０がおされてスイツチＳＷＡＬがオンされる毎にＤＡＴＥＳＴＡＴは０→１→２→３→４→５→０という具合に呼び出され、後述するステツプ６１→６４→６７→７０→７３→７６→７６→６１の順で外部モニターＬＣＤ（ＤＩＳＰｌ）が表示されることとなる。
　この様子を第１２図（ａ）〜（ｆ）で示し以下に詳細に説明する。まず、ＤＡＴＥＳＴＡＴ＝０でデートモード設定中［ＤＴ−ＭＯＤＥ］に進だ時のデートモードを設定する動作について第１１図（ａ）にて説明する。
（５９）ダイヤルカウンタＤＬＣからダイヤル３のカウント値を読み込みステツプ６０へ進む。
（６０）デートモードの情報はＤＡＲというＲＡＭに記憶してあり、ＲＡＭの内容の０，１，２，３，４，５に対応してデータモードが各々『年、月、日』，『日、月、年』，『月、日、年』，『日、時、分』，『時、分、秒』，『ＯＦＦ』に設定される。ここでダイヤル３から読み込んだ値を前記ＤＡＲに加算する。例えばＤＡＲの値が０でカウンターの読み込み値が２の時はＤＡＲは２となりデートモードは『月、日、年』である。又ＤＡＲの値が２でカウンターの読み込み値が４の時は、ＤＡＲの値は０となり、デートモードは『年、月、日』となる。このようにダイヤルカウンタが１カウントアツプする毎にＤＡＲはＯ→１→３→４→５→０となり、デートモードは『年、月、日』→『日、時』→『月、日、年』→『日、時、分』→『時、分、秒』→『ＯＦＦ』→『年、月、日』と変更され、逆にダイヤルカウンタが１カウントダウンする毎にＤＡＲはＯ→５→４→３→２→１→０となり、デートモードは『年、月、日』→『ＯＦＦ』→『時、分、秒』→『日、時、分』→『月、日、年』→『日、月、年』→『年、月、日』と変更でき各モードが設定される。
（８６）ダイヤル３の回転に対応して、第６図に示すような表示を外部モニターＬＣＤ（ＤＩＳＰ１）に表示する。
　以上のステツプ（４９）→（５０）→（５１）→（５２）→（５７）→（５８）→（５９）→（６０）→（６１）の動作でスイツチＳＷＤＡが押された時のデートモードの設定が行われる。また、スイツチＳＷＤＡをオフしている時でも、モードタイマ中はステツプ１→２→３→４→５→６→７→８→２９→５９→６０→６１→１と進み、デートモードの設定を行うことができる。
　次にＤＡＴＥＳＴＡＴ＝１で年設定中［ＹＥＡＲ］に進んだ時の“年”を設定する動作を第１１図（ｂ）で説明する。
（６２）ダイヤルカウンタＤＬＣからダイヤルのカウント値を読み込みステツプ６３へ進む。
（６３）ダイヤルから読み込んだ値を年を記憶しているＹＥＡＲＲに加算する。但し、年０年から９９年の値をとるものとし、その範囲を越えるときは最大値或は最小値でリミツトがかかる。また、ダイヤルカウンタが１カウントアツプするたびに年は１年ずつ増加し、ダイヤルカウンタが１カウントダウンするたびに年は１年ずつ減少する。
（６４）年月日を第１２図（ｂ）に示すように外部モニターＬＣＤ（ＤＩＳＰ）に表示し、年設定中であるので７セグメント２１，２２（ＳＥＧｌ，ＳＥＧ２）を点滅させる。第１３図は前記カウントアツプダウンによって、“年”表示を増減させた状態を示した図である。ここで第１３図（ｂ）と第１２図（ｂ）は同じ状態図である。
　以上までのステツプ動作にてデートモード釦９のスイツチＳＷＤＡが押され、さらにＡＥロツク釦１０のスイツチＳＷＡＬが押されたときの、年の設定がおこなわれる。また、スイツチＳＷＡＬをオフしているときでも、モードタイマ中はステツプ１→２→３→４→５→６→７→８→２９→６２→６３→６４→１と進み、年の設定をおこなうことができる。
　次にＤＡＴＥＳＴＡＴ＝２で月設定中［ＭＯＮＴＨ］に進んだ時の“月”を設定する動作を第１１図（ｃ）で説明する。
（６５）ダイヤルカウンタＤＬＣからダイヤル３のカウント値を読み込みステツプ６６へ進む。
（６６）ダイヤル３から読み込んだ値を月を記憶しているＭＯＮＴＨＲに加算する。但し、月は１月から１２月の値をとるものとし、その範囲を越えるときは最大値域は最小値でリミツトがかかる。また、ダイヤルカウンタが１カウントアツプするたびに月は１月ずつ増加し、ダイヤルカウンタが１カウントダウンするたびに月は１月ずつ減少する。
（６７）年月日を第１２図（ｃ）に示すように外部モニターＬＣＤ（ＤＩＳＰｌ）に表示し、月設定中であるので７セグメント２３，２４（ＳＥＧ３，ＳＥＧ４）を点滅させる。第１３図と同様に前記カウントアツプダウンによって今度は“月”表示を増減させる。
　以上までのステツプ動作にてデートモード釦９のスイツチＳＷＤＡが押され、さらにＡＥロツク釦のスイツチＳＷＡＬが２度押されたときの、月の設定がおこなわれる。またスイツチＳＷＡＬをオフしているときでも、モードタイマ中はステツプ１→２→３→４→５→６→７→８→２９→６５→６６→６７→１と進み、月の設定をおこなうことができる。
　次にＤＡＴＥＳＴＡＴ＝３で日設定中［ＤＡＹ］に進んだ時の“日”を設定する動作を第１１図（ｄ）で説明する。
（６８）ダイヤルカウンタＤＬＣからダイヤル３のカウント値を読み込みステツプ６９へ進む。
（６９）年，月をみて日を記憶しているＤＡＹＲにリミツトをかける。例えば８月であれば３１日、１１月であれば３０日、２月であれば２８日（うるう年は２９日）を越えないようにしてダイヤルから読み込んだ値をＤＡＹＲに加算する。但し、ＤＡＹＲは前記の範囲でリミツトがかかる。またダイヤルカウントが１カウントアツプするたびに日は１日ずつ増加し、ダイヤルカウンタが１カウントダウンするたびに日は１日ずつ減少する。
（７０）年月日を第１２図（ｄ）に示すように外部モニターＬＣＤ（ＤＩＳＰ１）に表示し、日設定中であるので７セグメント２５，２６（ＳＥＧ５，ＳＥＧ６）を点滅させる。第１３図と同様の前記カウンタアツプダウンによって今度は“日”表示を増減させる。
　以上までのステツプ動作にてデートモード釦９のスイツチＳＷＤＡが押され、さらにＡＥロツク釦のスイツチＳＷＡＬが３度押されたときの、日の設定がおこなわれる。またスイツチＳＷＡＬをオフしているときでも、モードタイマ中はステツプ１→２→３→４→５→６→７→８→２９→６８→６９→７０→１と進み、日の設定をおこなうことができる。
　次にＤＡＴＥＳＥＴ＝４で時設定中［ＨＯＵＲ］に進んだ時の゛時″を設定する動作を第１１図（ｅ）で説明する。
（７１）前記時計回路ＤＴＭＲから現在時刻を読みだし、時，分，秒を記憶しているＨＯＵＲＲ，ＭＩＭＵＴＥＲ，ＳＥＣＯＮＤＲに記憶させてステツプ７２へ進む。
（７２）ダイヤルカウンタＤＬＣからダイヤル３のカウント値を読み込みステツプ７３へ進む。
（７３）ダイヤル３から読み込んだ値を前記ＨＯＵＲＲに加算する。但し、時は０時から２３時の値をとるものとし、その範囲を越えるときは、最大値或は最小値でリミツトがかかる。また、ダイヤルカウンタが１カウントアツプするたびに時は１時間ずつ増加し、ダイヤルカウンタが１カウントダウンするたびに時は１時間ずつ減少する。
（７４）前記ＨＯＵＲＲ，ＭＩＭＵＴＥＲ，ＳＥＣＯＮＤＲを前記時計回路ＤＴＭＲから書き込み、ステツプ７５へ進む。
（７５）時分秒を第１２図（ｅ）に示すように外部モニターＬＵＤ（ＤＩＳＰ１）に表示し、時設定中であるので７セグメント２１，２２（ＳＥＧ１，ＳＥＧ２）を点滅させる。第１３図と同様に前記カウントアツプダウンによって今度は“時”表示を増減させる。
　以上までのステツプ動作にてデートモード釦９のスイツチＳＷＤＡが押され、さらにＡＥロツク釦のスイツチＳＷＡＬが４度押されたときの、時の設定がおこなわれる。またスイツチＳＷＡＬをオフしているときでも、モードタイマ中はステツプ１→２→３→４→５→６→７→８→２９→７１→７２→７３→７４→７５→１と進み、時の設定をおこなうことができる。この設定タイマ中は、時刻はリアルタイムで表示されており、設定中に時計を止めることはない。
　次にＤＡＴＥＳＴＡＴ＝５で“分”設定中［ＭＩＮＵＴＥ］に進んだ時の“月”を設定する動作を第１１図（ｆ）で説明する。
（７６）前記時計回路ＤＴＭＲから現在時刻を読み出し、時，分，秒を記憶しているＨＯＵＲＲ，ＭＩＭＵＴＥＲ，ＳＥＣＯＮＤＲに記憶させてステツプ７７へ進む。
（７７）ダイヤルカウンタＤＬＣからダイヤル３のカウント値を読み込みステツプ７８へ進む。
（７８）ダイヤルカウンタの値がＯか否かを判断する。０とときはステツプ７７へ進み、０でないときはステツプ７９へ進む。
（７９）前記ＳＥＣＯＮＤＲを０にクリアしてステツプ８０へ進む。
（８０）ダイヤルから読み込んだ値を前記ＭＩＮＵＴＥＲに加算する。但し、分は０分から５９分の値をとるものとし、その範囲を越えるときは最大値或は最小値でリミツトがかかる。また、ダイヤルカウンタが１カウントアツプするたびに分は１分ずつ増加し、ダイヤルカウンタが１カウントダウンするたにび１分ずつ減少する。
（８１）前記ＨＯＵＲＲ，ＭＩＭＵＴＥＲ，ＳＥＣＯＮＤＲを前記時計回路ＤＴＭＲから書き込み、ステツプ８２へ進む。
（８２）時分秒を第１２図（ｆ）に示すように外部モニターＬＵＤ（ＤＩＳＰ１）に表示し、時設定中であるので７セグメント２３，２４（ＳＥＧ３，ＳＥＧ４）を点滅させる。又、第１４図に示すように前記カウントアツプダウンによって“分”表示を増減させるともに、“秒”表示の７セグメント２５，２６（ＳＥＧ５，ＳＥＧ６）を“００”表示に切り換える。ここで第１４図（ｂ）と第１２図（ｅ）は同じ状態図である。
　以上までのステツプ動作にげデートモード釦９のスイツチＳＷＤＡが押され、さらにスイツチＳＷＡＬが５回押されたときの、分の設定がおこなわれる。またスイツチＳＷＡＬをオフしているときでも、モードタイマ中はステツプ１→２→３→４→５→６→７→８→２９→７６→７７→７８→７９→８０→８１→８２→１と進み、分の設定をおこなうことができる。このように分設定中はダイヤルを動かすたびに秒がクリアされる。またこの設定タイマ中も、時刻もリアルタイムで表示されており、設定中に時計を止めることはない。
　またさらにＡＥロツク釦１０のスイツチＳＷＡＬが押されるとＤＡＴＥＳＴＡＴ＝０でデートモード設定中［ＤＴ−ＭＯＤＥ］になることは前述より明白である。
　このようにして、デート機能の設定に際してはまずデートモード釦９が押されるとデートモード設定中となり、ＡＥロツク釦が押されなければダイヤル３の回転によって、第６図に示すようにデートモード（「年、月、日」「日、月、年」「月、日、年」「日、時、分」「時、分、秒「ＯＦＦ」）のいずれかを選択し、設定することができる。このデートモード設定中はモードタイマ中にＡＥロツク釦が押されるとこれを受けつけ、押す毎にデートの修正をする桁「年」，「月」，「日」，「時」，「分」の順に選択することができ、第１２図に示すように各々修正する桁の表示セグメントを点滅させて、年設定中、月設定中、日設定中、時設定中、分設定中を示している。そしてＡＥロツク釦が押している時又はモードタイマ中にダイヤル３を回転することによって、第１３図に示すように、年、月、日時分の修正を行え、かつ、分を修正した際に秒がリセツトされるようになっているものである。従って、時計機能のセレクト動作をＡＥロツク釦で、セツト動作をダイヤルで行わせる為、従来のようにセレクト動作用の釦や、セツト動作用の釦を設ける必要がなくなっている。又デートモード釦も露出補正釦とＡＦモード釦の両方を押す事によってデート機能のモードを設定できるようにしておけばデート機能を追加しても設定操作部材は何一つ増えない事となる。
　次にＡＦモード釦７のスイツチＳＷＡＦが押された時のＡＦモードを設定する時の動作を第９図（ｂ）で説明する。スイツチＳＷ１，ＳＷＣＰ，ＳＷＤＡが離れている時にＳＷＡＦが押されているとプログラムはステツプ５カラ［ＡＦ］に進む。
（８３）前記測光タイマをストツプさせてステツプ８４へ進む。
（８４）６秒のモードタイマをスタートさせる。このタイマは６秒後に発生する割り込み処理によってストツプする。
（８５）設定中のデート内容を記憶しているＲＡ，ＭのＤＡＴＥＳＴＡＴを０にクリアする。
（８６）前記ＳＴＡＴＲ／ＸＭにＡＦモード設定中であることを示す３を入れてステツプ８７へ進む。
（８７）ダイヤルカウンタＤＬＣからダイヤル３のカウント値を読み込みステツプ８８へ進む。
（８８）ＡＦモードの情報は、ＡＦＲというＲＡＭに記憶してあり．ＲＡＭの内容の０，１，２に対応して、ＡＦモードの各々ワンショツト（ＯＮＥ　ＳＨＯＴ），サーボ（ＡＩＳＥＲＶＯ），自動選択ＡＦ（ＡＩ　ＦＯＣＵＳ）に設定される。ここでダイヤル３から読み込んだ値を前記ＡＦＲに加算する。例えばＡＦＲがＯでカウンタの読み込み値が２の時はＡＦＲ＝２となりＡＦモードは「自動選択ＡＦ」である。又ＡＦＲの値２でカウンターの読み込み値が２の時はＡＦＲ＝１となり「サーボ」モードとからなる。このようにダイヤルカウンタが１カウントアツプする毎にＡＦＲは０→１→２→０となりワンショツト→サーボ→自動選択ＡＦ→ワンショツトと切り換わり１カウントダウンする毎にＡＦＲはＯ→２→１→０となり、ワンショツト→自動選択→サーボ→ワンショツトと切り換わる。
（８９）ダイヤル３の回転に対応して第３図の外部モニターＬＣＤ（ＤＩＳＰ１）の印刷フレーム５１に囲まれたＡＦモ一ド表示セグメントの中から（８８）で設定されたＡＦモ一ドが表示される。
　次にファンクシヨン釦８のスイツチＳＷＦＣが押された時であるがこの釦はフイルム給送モード、多重撮影、インターバル撮影といった撮影モードを釦を順次押す事によって設定可能状態にするものである。従って、各々の撮影モードにおいてその内容を設定する動作はＡＦモードの設定動作を同じである為、ここでは省略する。
〔他の実施例〕
第１５図及び第１６図はインターバル撮影の機能を示したもので第１５図はフアンクシヨン釦８を順次押してインターバル撮影のモードを選択した場合の外部モニターＬＣＤ２の表示内容を示したものである。インターバル撮影は設定された時間分だけの間隔をあけて、設定枚数自動的に撮影するもので、第１５図（ａ）は初期状態としてインターバル撮影は行わない０時間０分０秒、撮影枚数１枚に設定されたものである。このインターバル撮影を設定する方法は、前述のデートの日付や時刻の設定、修正動作をした場合と全く同様である。インターバル撮影モードをフアンクシヨン釦８で選択するとインターバル時間の設定可能状態となり（ステツプ１００）、１度ＡＥロツク釦を押すと、外部モニターＬＣＤ（ＤＩＳＰ１）の７セグメンオ２１，２２（ＳＥＧｌ，ＳＥＧ２）の“時”表示が点滅し、ダイヤル３の回転によって０時から２３時まで“時”を設定する。（ステツプ１０１，１０２）。再度、ＡＥロツク釦を押すと７セグメント２３，２４（ＳＥＧ３，ＳＥＧ４）の“分”表示が点滅し、同様に０分から５９分までの“分”設定（ステツプ１０３，１０４）を、さらにＡＥロツク釦を押すと７セグメント２５，２６（ＳＥＧ５，ＳＥＧ６）の“秒”表示が点滅し、同様に０秒から５９秒までの“秒”設定（ステツプ１０５，１０６）を、さらにＡＥロツク釦を押すとカウンター枠３０内の７セグメント２７，２８（ＳＥＧ７，ＳＥＧ８）の“枚数”表示が点滅し、同様に１枚から３６枚までの撮影枚数を設定できる（ステツプ１０７，１０８）ものである。
　このような設定方法にてインターバル撮影を設定した状態を第１５図（ｂ）に示すが、これは２時間３０分００秒毎に１６枚まで自動的に撮影するように設定されたものである。
　次にインターバル撮影動作について説明する。
（１１０）インターバル撮影が実行されるように設定されたかを見る。設定されている際にはステツプ１１１へ進む。
（１１１）インターバル撮影の設定の後に、時刻修正を行ったかどうかを見る。仮に時刻修正が行われていた際には、撮影者が意図したインターバル時間での撮影が実行されないことが考えられるので、以後のインターバル撮影を禁止する。時刻修正が行われていなければ、ステツプ１１２へ進む。
（１１２）インターバル時間経過時にステツプ３３ヘジャンプさせて撮影動作を行わせる。
　以上の実施例においてはＡＥロツク釦にて、デートやインターバルタイマーの修正する桁を選択するようにしているが、本実施例のセルフタイマー釦もセルフタイマという撮影モードをカメラに直接入力可能な入力手段である為、ＡＥロツク釦と同様な修正桁を選択する機能、操作を行わせる事ができる。但し、露出補正釦、ＡＦモード釦、フアクンシヨン釦ではできない事はフローチヤートより明らかである事は言うまでもない。
〔発明の効果〕
以上設定したように、ＡＥロツク釦やセルフタイマ釦等、撮影機能を直接入力可能である入力手段を用いて、デート機能やインターバル撮影といった時計機能の修正を行わせる事によって、時計機能用の操作釦等の入力手段を増やす必要がなくなり、コストＵＰせず、又形状も大きくする必要がなくなるといった効果がある。又操作釦が整理されて繁雑でなくなるとともに、実施例では、ＡＥロツク釦のように指掛り近傍に設けた設定部材と右前面に設けたダイヤルを兼用できる為“右手の親指でＡＥロツク釦を押し、手差し指でダイヤルを回転させるという”片手の操作で時計機能のセレクト動作セツト動作を行えるといったカメラの操作性を大きく向上させる効果がある。
【図面の簡単な説明】
第１図は本発明の表示装置を備えたカメラの上面図、背面図。
第２図は第１図に示したカメラの電気回路図。
第３図は第１図の表示装置の全点灯状態を示した外観図。
第４図は第３図の表示装置による通常撮影時の状態を示した外観図。
第５図は第３図の表示装置による露出補正設定時の状態を示した外観図。
第６図及び愉１２図〜第１４図は第３図の表示装置によるデート機能設定時の状態を示した外観図。
第１５図は第３図の表示装置によるインターバル撮影機能設定時の状態を示した外観図。
第７図〜第１１図及び第１６図はカメラの動作を説明するフローチヤート。
第１７図は従来のデート機能を備えたカメラ。
１……カメラ本体
２……外部モニター用ＬＣＤ
３……ダイヤル
４……レリーズ釦
５……メインダイヤル
６……露出補正釦
７……ＡＦモード釦
９……デートモード釦
１０……ＡＥロツク釦
１１……セルフタイマ釦